(57)【特許請求の範囲】
【請求項１】
燃料電池と、該燃料電池に供給される改質ガスを生成するために水蒸気改質を行なう改質器と、前記燃料電池の発電により生じる排ガスと水とで熱交換を行なう熱交換器と、該熱交換器での熱交換により生じる凝縮水を貯水する凝縮水タンクと、前記凝縮水を前記凝縮水タンクに回収するための凝縮水回収管と、前記凝縮水タンクに設けられた前記凝縮水を処理するための凝縮水処理手段と、該凝縮水処理手段で処理された後の凝縮水の純度を測定するための導電率センサと、前記凝縮水タンクに貯水され前記凝縮水処理手段にて処理された前記凝縮水を前記改質器に供給するための凝縮水供給管と、前記凝縮水タンクに設けられ前記凝縮水タンクに貯水された前記凝縮水を排水する凝縮水排水手段と、前記導電率センサが予め定められた設定範囲外の導電率を示した場合に、前記凝縮水タンクに貯水された凝縮水を排水するよう前記凝縮水排水手段を制御するとともに、前記改質器での改質反応を水蒸気改質から部分酸化改質に切り換えるよう制御する制御装置とを具備することを特徴とする燃料電池装置。
【請求項２】
前記凝縮水処理手段がイオン交換樹脂であることを特徴とする請求項１に記載の燃料電池装置。
【発明の詳細な説明】
【技術分野】
【０００１】
本発明は、燃料電池の発電により生じる排ガスと水との熱交換により生じた凝縮水を利用して発電を行なう燃料電池装置に関する。
【背景技術】
【０００２】
近年、次世代エネルギーとして、水素ガスと酸素含有ガス（通常、空気である）とを用いて電力を得ることができる燃料電池と、この燃料電池を稼動するための補機類とを外装ケースに収納してなる燃料電池装置およびその運転方法が種々提案されている。
【０００３】
ここで、燃料電池の発電に必要な水素の生成方法の１つとして水蒸気改質法が知られており、この水蒸気改質を用いる燃料電池装置としては、燃料ガス（水素ガス）を生成するための改質器、外部から供給される水（水道水等）を処理して純水を生成する水処理装置、処理した水（純水）を一時的に貯水するための水タンク、さらに水処理装置と水タンクと改質器をそれぞれ接続する水供給管等を具備することが知られている。
【０００４】
また、燃料電池の発電により生じる排ガスと水とで熱交換するための熱交換器を具備し、熱交換により生成される凝縮水を改質器に供給する燃料電池装置も知られている（例えば、特許文献１参照）。
【先行技術文献】
【特許文献】
【０００５】
【特許文献１】特開２００６−１７９３８６号公報
【発明の概要】
【発明が解決しようとする課題】
【０００６】
上述したような水蒸気改質を用いる燃料電池装置において、熱交換により生じる凝縮水を改質器に供給するにあたっては、改質器の故障や改質触媒の劣化を抑制（防止）すべく、凝縮水はイオン交換樹脂等の凝縮水処理手段（装置）にて処理されたのち（純水としたのち）改質器に供給される。
【０００７】
ところで、イオン交換樹脂等の凝縮水処理手段は、その使用頻度に伴い劣化を生じるため、定期的に交換等のメンテナンスを必要とする。
【０００８】
しかしながら、熱交換により生じる凝縮水の量を制御することは難しく、凝縮水の生成（供給）は継続して行なわれるため、凝縮水処理手段が劣化した場合に凝縮水処理手段を交換するにあたっては、凝縮水の水漏れや凝縮水処理手段にて処理されていない凝縮水が改質器に供給されること等を抑制（防止）すべく燃料電池装置の運転を停止する場合があり、凝縮水処理手段のメンテナンスにおける作業効率が悪いという問題もあった。
【０００９】
それゆえ本発明は、凝縮水処理手段の交換等のメンテナンスの作業効率を向上することができる燃料電池装置を提供することを目的とする。
【課題を解決するための手段】
【００１９】
本発明の燃料電池装置は、燃料電池と、該燃料電池に供給される改質ガスを生成するために水蒸気改質を行なう改質器と、前記燃料電池の発電により生じる排ガスと水とで熱交換を行なう熱交換器と、該熱交換器での熱交換により生じる凝縮水を貯水する凝縮水タンクと、前記凝縮水を前記凝縮水タンクに回収するための凝縮水回収管と、前記凝縮水タンクに設けられた前記凝縮水を処理するための凝縮水処理手段と、該凝縮水処理手段で処理された後の凝縮水の純度を測定するための導電率センサと、前記凝縮水タンクに貯水され前記凝縮水処理手段にて処理された前記凝縮水を前記改質器に供給するための凝縮水供給管と、前記凝縮水タンクに設けられ前記凝縮水タンクに貯水された前記凝縮水を排水する凝縮水排水手段と、前記導電率センサが予め定められた設定範囲外の導電率を示した場合に、前記凝縮水タンクに貯水された凝縮水を排水するよう前記凝縮水排水手段を制御するとともに、前記改質器での改質反応を水蒸気改質から部分酸化改質に切り換えるよう制御
する制御装置とを具備することを特徴とする。
【００２０】
このような燃料電池装置においては、凝縮水タンクに設けられた凝縮水処理手段で処理された後の凝縮水の純度を測定するための導電率センサを設けるとともに、導電率センサが予め定められた設定範囲外の値を示した場合に、凝縮水タンクに貯水されている凝縮水を凝縮水タンクに設けられた凝縮水排水手段により排水するよう制御する制御装置を具備することから、凝縮水処理手段が劣化した場合に、凝縮水タンクに貯水された凝縮水を排水することができる。
また、制御装置は、導電率センサが予め定められた設定範囲外の値を示した場合に、改質器での改質反応を水蒸気改質から部分酸化改質に切り換える制御を行うことから、凝縮水処理手段の交換等のメンテナンス時においても、改質器にて継続して改質反応を行うことができ、燃料電池装置の運転を停止することなく、凝縮水処理手段のメンテナンスを行うことができる。
【００２１】
それにより、凝縮水処理手段の交換等のメンテナンスの作業効率を向上することができるとともに、純度の低い凝縮水が改質器に供給されることを抑制でき、改質器に故障等が生じることを抑制することができる。
【００２２】
また、本発明の燃料電池装置は、前記凝縮水処理手段がイオン交換樹脂であることが好ましい。
【００２３】
このような燃料電池装置においては、凝縮水処理手段をイオン交換樹脂とすることにより、凝縮水を純水に処理することができる。それにより、改質器が必要とする量の凝縮水を純水に処理することができる。
【発明の効果】
【００２９】
本発明の燃料電池装置は、燃料電池の発電により生じる排ガスと水とでの熱交換により生じる凝縮水を改質器に供給する燃料電池装置において、凝縮水処理手段で処理された後の凝縮水の導電率が予め定められた設定範囲外となったことを導電率センサが検知すると、制御装置が、凝縮水を凝縮水排水手段により排水するよう制御するとともに、改質器での改質反応を水蒸気改質から部分酸化改質に切り換えるよう制御することにより、燃料電池装置の運転を停止することなく、凝縮水処理手段の交換等のメンテナンスの作業効率を向上することができる。
【図面の簡単な説明】
【００３０】
【図１】本発明の燃料電池装置の構成の一例を示す構成図である。
【図２】凝縮水排水手段を熱交換器に設けた場合の燃料電池装置の構成の一部を抜粋して示す構成図である。
【図３】凝縮水排水手段として三方弁を用いる場合の燃料電池装置の構成の一部を抜粋して示す構成図であり、（ａ）は凝縮水を凝縮水タンクに供給する場合の三方弁を、（ｂ）は凝縮水処理手段で処理される前の凝縮水を排水する場合の三方弁を、（ｃ）は凝縮水タンクに貯水された凝縮水を排水する場合の三方弁を、（ｄ）は凝縮水処理手段で処理される前の凝縮水および凝縮水タンクに貯水された凝縮水を排水する場合の三方弁を示したものである。
【図４】凝縮水排水手段を凝縮水タンクに設けた場合の本発明の燃料電池装置の構成の一部を抜粋して示す構成図である。
【発明を実施するための形態】
【００３１】
図１は、本発明の燃料電池装置の構成の一例を示した構成図である。本発明の燃料電池装置は、発電を行なう発電ユニット、熱交換後の湯水を貯湯する貯湯ユニット、これらのユニット間を水が循環するための循環配管から構成されている。
【００３２】
図１に示す燃料電池装置は、燃料電池１、天然ガスや灯油等の被改質ガスを供給する被改質ガス供給手段２、酸素含有ガスを燃料電池１に供給するための酸素含有ガス供給手段３、被改質ガスと水蒸気により水蒸気改質する改質器４を具備している。
【００３３】
また、図１に示す燃料電池装置においては、燃料電池１の発電により生じた排ガス（排熱）と水とで熱交換を行なう熱交換器１３、熱交換により生成された凝縮水を貯水する凝縮水タンク１９、熱交換器１３で生成された凝縮水を凝縮水タンク１９に回収（供給）するための凝縮水回収管２１が設けられており、凝縮水タンク１９に貯水された凝縮水が改質器４に供給される。
【００３４】
一方、凝縮水タンク１９に貯水される凝縮水の量が少ない場合や凝縮水処理手段で処理された後の凝縮水の純度が低い場合においては、外部より供給される水（水道水等）を純水に処理して改質器４に供給することが好ましく、図１においては外部から供給される水を純水に処理する手段として水処理装置Ｘを具備している。
【００３５】
ここで、水処理装置Ｘは、水を浄化するための活性炭フィルタ装置７、逆浸透膜装置８（以下、ＲＯ膜装置とする）および浄化された水を純水にするためのイオン交換樹脂装置９の各装置を具備する。そして、イオン交換樹脂装置９にて生成された純水は水タンク１０に貯水される。なお、図１においては、凝縮水と水道水等の外部から供給される水を併用して用いる場合の例を示しており、凝縮水タンク１９と水タンク１０とが凝縮水供給管
（タンク連結管）２０にて連結されている。なお、凝縮水のみを改質器４に供給する場合には、凝縮水タンク１９と改質器４とを水ポンプを介して接続することも可能である。
【００３６】
また、図１に示す燃料電池装置においては、活性炭フィルタ装置７、ＲＯ膜装置８、イオン交換樹脂装置９および水タンク１０をこの順で接続する水供給管５が設けられており、水供給管５には、水供給管５に供給される水量を調整するための給水弁６が設けられている。なお図１においては、これら改質器４に水を供給するための手段を、一点鎖線により囲って示している。
【００３７】
さらに、燃料電池１にて発電された直流電力を交流電力に切り替え外部負荷に供給するためのパワーコンディショナ１２、熱交換器１３の出口に設けられ熱交換器１３の出口を流れる水（循環水流）の水温を測定するための出口水温センサ１５、水を循環させるための循環ポンプ１６、循環ポンプ１６の運転を制御する制御装置１４により発電ユニットが構成されている。なお、制御装置１４については後述する。
【００３８】
また貯湯ユニットは、熱交換後の湯水を貯湯するための貯湯タンク１８を具備して構成されている。
【００３９】
さらに、熱交換器１３と貯湯タンク１８との間で水を循環させるための循環配管１７が設けられており、発電ユニット、貯湯ユニット、循環配管１７をあわせて本発明の燃料電池装置が構成される。
【００４０】
なお、図１においては、凝縮水回収管２１に熱交換器１３での熱交換により生じ、凝縮水処理手段で処理される前の凝縮水を排水するための凝縮水排水手段２２が設けられており、この凝縮水排水手段２２については後述する。
【００４１】
また、図中の矢印は、燃料、酸素含有ガス、水の各流れ方向を示したものであり、また破線は制御装置１４に伝送される主な信号経路、または制御装置１４より伝送される主な信号経路を示している。また、同一の構成については同一の番号を付するものとし、以下同様である。さらに図示していないが、被改質ガス供給手段２と改質器４との間に、被改質ガスを加湿するための被改質ガス加湿器を設けることも可能である。
【００４２】
また、燃料電池１としては、各種燃料電池が知られているが、燃料電池を小型化する上で、固体酸化物形燃料電池とすることができる。それにより、燃料電池のほか、燃料電池の動作に必要な補機類を小型化することができ、燃料電池装置を小型化することができる。またあわせて、家庭用燃料電池で求められる変動する負荷に追従する負荷追従運転を行なうことができる。
【００４３】
このように、本発明の燃料電池装置は、水蒸気改質を行なう燃料電池装置において有用であり、なかでも、例えば燃料電池１の上方に、水蒸気改質を行なうための改質器４を配置し、燃料電池１で使用されなかった燃料を燃焼させて改質器４を加熱する固体酸化物形燃料電池において最適となる。
【００４４】
ここで、図１に示した燃料電池装置を用いて、本発明の燃料電池装置の運転方法について説明する。
【００４５】
燃料電池１の発電により生じた排ガス（排熱）は、主に燃料電池１の温度を高めるもしくは維持するために使用された後、燃料電池１より熱交換器１３に供給される。熱交換器１３においては、燃料電池１の発電により生じる排ガスと熱交換器１３内を通水（循環）する水（循環配管１７を流れる水）とで熱交換される。そして熱交換された水（湯水）は
、循環配管１７を循環して貯湯タンク１８に貯湯される。
【００４６】
一方、熱交換により生成される凝縮水は、凝縮水回収管２１を流れて凝縮水タンク１９に貯水される。凝縮水タンク１９に貯水された凝縮水は、凝縮水タンク１９に備えられた凝縮水処理手段（図１においては図示せず）にて処理された後、凝縮水供給管２０（タンク連結管）を流れて水タンク１０に供給される。水タンク１０に貯水された水は、改質器４で必要となる水の量に応じて、水ポンプ１１により改質器４に供給される。なお、凝縮水タンク１９に貯水された凝縮水のみを改質器４に供給する場合においては、凝縮水供給管２０（タンク連結管）を水ポンプ１１に接続すればよい。
【００４７】
改質器４においては、水ポンプ１１により供給された水と、被改質ガス供給手段２より供給される被改質ガスとにより水蒸気改質を行なう。改質器４にて生成された改質ガス（燃料ガス）は、燃料電池１に供給され、酸素含有ガス供給手段３より供給される酸素含有ガスと反応して、燃料電池１の発電が行なわれる。そして、燃料電池１の発電で生じた電力は、パワーコンディショナ１２を通じて外部負荷に供給される。
【００４８】
一方、改質器４に対して外部より供給される水（水道水等）を供給する場合には、給水弁６が開放され、水供給管５を通して、外部から供給される水が活性炭フィルタ装置７に給水される。活性炭フィルタ装置７にて処理された水は、続いてＲＯ膜装置８に給水される。ＲＯ膜装置８にて処理された水は、続いてイオン交換樹脂装置９に供給・処理され純水が生成される。イオン交換樹脂装置９にて生成された純水は、水タンク１０に供給され、凝縮水を改質器４に供給する場合と同様に、改質器４で必要となる水の量に応じて、水ポンプ１１により改質器４に供給される。
【００４９】
ところで、改質器４に供給する水として、凝縮水を優先的に使用することにより、水道水等の外部から供給される水の使用量を低減することができ、燃料電池装置のランニングコストを低減することができる。その際、改質器４に供給される凝縮水は、改質器４に故障等生じることを抑制（防止）すべく、凝縮水処理手段等で純水に処理された後、改質器４に供給することが好ましい。
【００５０】
また凝縮水処理手段は使用に伴い劣化を生じるため、適宜交換等のメンテナンスを必要とする。しかしながら、熱交換により生じる凝縮水の量を制御することは難しい。そのため、凝縮水処理手段を交換するにあたっては、凝縮水処理手段にて処理されていない凝縮水が改質器４に供給され改質器４に故障等が生じることや、交換時に凝縮水が漏れるといったことを抑制（防止）すべく、燃料電池装置１の運転を停止した後、交換等のメンテナンスを行なう場合があり、その場合においては作業効率が悪いという問題がある。
【００５１】
それゆえ本発明は、凝縮水処理手段の交換等のメンテナンスの作業効率を向上することができる燃料電池装置を提供することを目的としており、以下に詳述する。
【００５２】
図２は、本発明の燃料電池装置における改質器に凝縮水を供給するにあたり、関連する各部材を抜粋して示した構成図である。
【００５３】
熱交換器１３で熱交換された際に生成される凝縮水は、凝縮水供給管２１を流れて凝縮水タンク１９に貯水される。凝縮水タンク１９に貯水された凝縮水は、凝縮水タンク１９に設けられた凝縮水処理手段２３により純水に処理された後、改質器４に供給される。
【００５４】
ここで、熱交換器１３にて熱交換された際に生じる凝縮水は、凝縮水回収管２１を流れて継続的に凝縮水タンク１９に回収（供給）される。それゆえ、凝縮水処理手段２３の交換時において凝縮水タンク１９を取り外すと、凝縮水回収管２１を流れる水が継続して漏
水するおそれがある。また、凝縮水タンク１９中に凝縮水処理手段２３を設けるとともに、その凝縮水処理手段２３を取り外す場合においては、凝縮水処理手段２３で処理されていない凝縮水が凝縮水タンク１９に貯水され、凝縮水処理手段２３で処理されていない凝縮水が改質器４に供給され、改質器４に故障等が生じるおそれがある。
【００５５】
それゆえ本発明においては、凝縮水処理手段２３で処理された後の凝縮水の導電率を測定するための導電率センサ２４を凝縮水タンク１９に設けるとともに、導電率センサ２４が予め定められた範囲外の値を示した場合に、凝縮水タンク１９に凝縮水が供給されないよう、もしくは凝縮水タンク１９に貯水された凝縮水を排水するための凝縮水排水手段を具備している。
【００５６】
ここで、図２は凝縮水排水手段を熱交換器１３に設けた例を示しており、以下にこの凝縮水排水手段を熱交換器１３に設けた場合について説明する。
【００５７】
凝縮水タンク１９には、凝縮水処理手段にて処理された後の凝縮水の純度を測定するための導電率センサ２４が設けられている。また、凝縮水回収管２１には凝縮水回収管用電磁弁２５（以下、回収管電磁弁２５という）が設けられており、熱交換器１３には凝縮水を排水するための熱交換器排水管２６および熱交換器排水管用電磁弁２７（以下、熱交換器電磁弁２７という）が設けられている。なお、凝縮水回収管２１および熱交換器排水管２６は、熱交換器１３の下部に気液分離部材を設けるとともに、その気液分離部材に接続することができる。
【００５８】
なお、本図においては、導電率センサ２４を凝縮水タンク１９に設けた場合の例を示したが、例えば凝縮水タンク１９と改質器４とを接続する凝縮水供給管２０に導電率センサ２４を設けることも可能である。
【００５９】
ここで、凝縮水処理手段２３で処理された後の凝縮水（以下、処理後凝縮水と呼ぶ）の導電率が導電率センサ２４により測定され、その情報が制御装置１４に伝送される。制御装置１４は、処理後凝縮水の導電率が予め定められた設定範囲内である場合には、凝縮水処理手段２３が劣化していないと判断し、回収管電磁弁２５を開くように制御する制御信号を回収管電磁弁２５に伝送するとともに、熱交換器電磁弁２７を閉じるように制御する制御信号を熱交換器電磁弁２７に伝送する。それにより、凝縮水タンク１９に継続して凝縮水が供給される。
【００６０】
一方、処理後凝縮水の導電率が、予め定められた設定範囲外の値を示した場合においては、凝縮水処理手段２３が劣化していると判断できる。その際、凝縮水処理手段２３を容易に交換することができるよう、制御装置１４は、回収管電磁弁２５を閉じるように制御する制御信号を回収管電磁弁２５に伝送するとともに、熱交換器電磁弁２７を開くように制御する制御信号を熱交換器電磁弁２７に伝送する。
【００６１】
それにより、処理後凝縮水の導電率が、予め定められた設定範囲外の値を示した場合には、熱交換器１３での熱交換により生成される凝縮水は、熱交換器排水管２６より排水されることとなり、凝縮水タンク１９に供給されないこととなる。
【００６２】
それゆえ、凝縮水処理手段２３の交換において、凝縮水タンク１９に凝縮水が供給されないことから、凝縮水タンク１９を取り外して交換することができ、凝縮水処理手段２３の交換等のメンテナンスの作業効率を向上することができる。
【００６３】
なお、凝縮水排水手段を熱交換器１３に設ける構成においては、凝縮水処理手段２３は、凝縮水回収管２１（凝縮水タンク１９と回収管電磁弁２５との間）に設けることもでき
る。
【００６４】
また、凝縮水処理手段２３の交換が完了した後は、熱交換により生じる凝縮水を凝縮水タンク１９に供給することが好ましい。それゆえ、例えば燃料電池装置にメンテナンス完了スイッチ等を設けておき、メンテナンスが完了したらスイッチを押すことで、熱交換により生じる凝縮水が凝縮水タンク１９に供給されるようにすることができる。
【００６５】
具体的には、メンテナンス完了スイッチを押すと、メンテナンス完了の情報が制御装置１４に伝送される。続いて制御装置１４は、回収管電磁弁２５を開くように制御する制御信号を回収管電磁弁２５に伝送するとともに、熱交換器電磁弁２７を閉じるように制御する制御信号を熱交換器電磁弁２７に伝送する。それにより、凝縮水処理手段２３のメンテナンス完了後は、熱交換により生じる凝縮水を凝縮水タンク１９に供給することができる。
【００６６】
また凝縮水タンク１９と凝縮水回収管２１との接続、さらには凝縮水タンク１９と凝縮水供給管２０との接続を検知する接触式のセンサを設けるとともに、両方のセンサが凝縮水タンク１９と各管との接触を検知すると、熱交換により生じる凝縮水を凝縮水タンク１９に供給するように制御することもできる。さらには、凝縮水処理手段２３を凝縮水タンク１９中に設ける場合において、凝縮水処理手段２３を収納する収納容器を設けるとともに、収納容器が凝縮水タンク１９中に設置されているか否かを検知する接触式のセンサを設け、センサが収納容器の設置を検知すると、熱交換により生じる凝縮水を凝縮水タンク１９に供給するように制御することもできる。
【００６７】
なお、凝縮水処理手段２３としては、凝縮水を処理することにより純水とすることができるものを使用することができるが、凝縮水タンク１９に設ける場合や、凝縮水処理手段２３の交換における容易性、凝縮水の処理の効率性等を考慮して、イオン交換樹脂（以下、凝縮水処理手段をイオン交換樹脂として説明するものとし、イオン交換樹脂２３と略す場合がある）とすることが好ましく、例えば球状のイオン交換樹脂２３とすることができる。なお、イオン交換樹脂２３は、凝縮水の純度や、凝縮水タンク１９の大きさ、イオン交換樹脂２３の大きさ等により適宜設けることができる。
【００６８】
図３は、図１に示したように、凝縮水回収管２１に凝縮水排水手段２２として三方弁２２を設けた場合における三方弁２２の制御について示したものである。
【００６９】
凝縮水排水手段として三方弁２２を用いる場合においては、制御装置１４は、導電率センサ２４により伝送される処理後凝縮水の導電率の値に基づき三方弁２２を制御する。
【００７０】
ここで、図３（ａ）においては処理後凝縮水の導電率が、予め定められた設定範囲内である場合を示しており、この場合制御装置１４は、熱交換器１３での熱交換により生じた凝縮水が、凝縮水タンク１９に流れるよう三方弁２２を制御する。
【００７１】
一方、処理後凝縮水の導電率が、予め定められた設定範囲外を示した場合には、制御装置１４は、図３（ｂ）に示したように、熱交換器１３での熱交換により生じ、凝縮水処理手段２３で処理される前の凝縮水が排水側へ流れるよう三方弁２２を制御する。なお三方弁２２の排水側には、凝縮水を排水するための排水管を接続しておくことが好ましい。
【００７２】
それにより、凝縮水タンク１９に凝縮水が供給されないことから、凝縮水タンク１９を取り外して交換する場合に、凝縮水が漏水することを抑制（防止）でき、凝縮水処理手段２３の交換等のメンテナンスの作業効率を向上することができる。
【００７３】
ところで、例えば凝縮水処理手段２３を網目状の収納容器（ケース）等に充填し、そのケースを凝縮水タンク１９内に配置する場合や、凝縮水タンク１９内に直接凝縮水処理手段２３を配置する場合に、処理後凝縮水が予め定められた設定範囲外の導電率を示した場合は、凝縮水タンク１９より収納容器を引き抜きその収納容器に充填された凝縮水処理手段２３を交換する、もしくは凝縮水タンク１９より凝縮水処理手段２３を取出して交換すればよいこととなり、凝縮水タンク１９を取り外す必要がなく、凝縮水処理手段２３のメンテナンスにおける作業効率を向上することができる。
【００７４】
しかしながらこの場合、凝縮水タンク１９には純度の低い凝縮水が貯水されたままとなっているため、この純度の低い凝縮水が改質器４に供給され、改質器４が故障するおそれがある。
【００７５】
したがって、凝縮水処理手段２３が充填された収納容器を凝縮水タンク１９内に収納する燃料電池装置や、凝縮水処理手段２３を凝縮水タンク１９に直接配置する燃料電池装置においては、処理後凝縮水の導電率が予め定められた設定範囲外を示した場合には、凝縮水処理手段２３の交換とあわせて、凝縮水タンク１９に貯水されている凝縮水を排水することがより好ましい。
【００７６】
図３（ｃ）、（ｄ）はこのように凝縮水タンク１９に貯水されている凝縮水を排水する場合の三方弁２２の制御を示したものであり、（ｃ）では凝縮水タンク１９に貯水された凝縮水を排水する場合を、（ｄ）では凝縮水回収管２１を凝縮水タンク１９に向けて流れる凝縮水処理手段２３で処理される前の凝縮水と、凝縮水タンク１９に貯水された凝縮水を同時に排水する場合を示している。
【００７７】
このように三方弁２２を制御することにより、凝縮水タンク１９に貯水された凝縮水を、凝縮水回収管２１を介して排水することができることから、改質器４に純度の低い凝縮水が供給されることが抑制（防止）できる。それゆえ、凝縮水処理手段２３の交換等のメンテナンスの作業効率が向上するとともに、改質器４に故障等が生じることを抑制（防止）できる。
【００７８】
なお、凝縮水処理手段２３の交換等のメンテナンスにおいて、メンテナンス完了後は上述したのと同様に、熱交換により生じる凝縮水を凝縮水タンク１９に供給するよう三方弁２２を制御することが好ましい。そして、凝縮水処理手段２３の交換等のメンテナンスが完了した際に、制御装置１４が三方弁２２を制御し（図３（ａ）の状態に制御し）、熱交換により生じる凝縮水が凝縮水タンク１９に供給されるようにすることが好ましい。
【００７９】
なお、凝縮水排水手段２２を凝縮水回収管２１に設ける構成においては、凝縮水処理手段２３は、凝縮水回収管２１（水タンク１９と凝縮水排水手段２３との間）に設けることもできる。
【００８０】
図４は、凝縮水排水手段２３を凝縮水タンク１９に設けた場合を示したものである。図４においては、凝縮水回収管の一端が凝縮水タンク１９の下端部側に連結されており、また凝縮水タンク１９中に上下に設けられた仕切部材２８により囲まれた部位にイオン交換樹脂２３が充填されている。また、凝縮水タンク１９の上部には、オーバーフロー用の排水管２９が設けられており、凝縮水タンク１９の底面には、凝縮水排水手段２２である凝縮水タンクに貯水された凝縮水を排水するための凝縮水タンク排水管３０と、凝縮水タンク排水管用電磁弁３１（以下、タンク電磁弁３１という）が設けられている。また導電率センサ２４が凝縮水タンク１９の上部側に設けられている。
【００８１】
凝縮水排水手段２２として凝縮水タンク排水管３０を用いる場合においては、制御装置
１４は、導電率センサ２４により伝送される凝縮水タンク１９に貯水された凝縮水の導電率情報に基づきタンク電磁弁３１を制御する。
【００８２】
ここで、図４に示した凝縮水タンク１９においては、凝縮水タンク１９の底面側より凝縮水が供給され、凝縮水タンク１９の水位の上昇に伴い、凝縮水処理手段２３により凝縮水が処理される。それゆえ、凝縮水タンク１９の上部側に設けられた導電率センサ２４の値が、予め定められた設定範囲外の値を示した場合には、凝縮水処理手段２３が劣化していることが分かる。
【００８３】
それゆえ、導電率センサ２４の値が予め定められた設定範囲外の値を示した場合には、制御装置１４はタンク電磁弁３１を開く制御を行なう。それにより、凝縮水タンク１９に貯水された凝縮水を排水することができ、凝縮水処理手段２３の交換等のメンテナンスの作業効率が向上するとともに、純度の低い凝縮水が改質器４に供給されることを抑制（防止）でき、改質器４に故障等が生じることを抑制（防止）できる。
【００８４】
なお、改質器４に純度の低い凝縮水が供給されることをより抑制するにあたっては、凝縮水タンク排水管３０は、凝縮水タンク１９の底面に接続されていることが好ましい。さらには、凝縮水タンク１９の底面を、凝縮水タンク排水管３０の接続部位に向けて傾斜を有する底面とし、凝縮水タンク排水管３０により凝縮水が流れやすいようにすることもできる。
【００８５】
さらに、凝縮水タンク１９に凝縮水排水手段を設ける場合においては、凝縮水タンク１９に継続して凝縮水が供給されるため、凝縮水タンク１９に供給される凝縮水の量より、凝縮水タンク排水管３０より排水される凝縮水の量が多くなるよう、凝縮水タンク排水管３０の大きさ等を適宜調整することが好ましい。
【００８６】
ところで、導電率センサ２４が予め定められた設定範囲外の値を示し、凝縮水処理手段２３を交換する場合において、凝縮水処理手段２３を交換している間は、凝縮水タンク１９から改質器４に凝縮水を供給することが難しくなる。
【００８７】
したがって、本発明においては、外部から供給される水を処理するためのイオン交換樹脂装置９を具備する水処理装置Ｘと、水処理装置Ｘで処理された水を貯水するための水タンク１０とを具備するとともに、導電率センサ２４が予め定められた設定範囲外の値を示した場合には、水タンク１０に貯水された水を改質器４に供給するように制御することが好ましい。
【００８８】
具体的には、導電率センサ２４の値が、予め定められた設定範囲外の値を示した場合には、凝縮水排水手段２２を制御するとともに、給水弁６を開く制御を行い、水タンク１０に外部から供給される水を貯水するように制御することが好ましい。
【００８９】
なお図１においては、凝縮水タンク１９に貯水される凝縮水が水タンク１０に供給されるよう、凝縮水タンク１９と水タンク１０とを凝縮水供給管２０（タンク連結管）で連結し、水タンク１０より水ポンプ１１を介して改質器４に水（凝縮水）が供給されるようにする例を示している。それにより、凝縮水タンク１９の水と外部から供給される水とを改質器４に供給するにあたり、水ポンプ１１を共用することができ、燃料電池装置をコンパクトとすることができる。
【００９０】
また、水タンク１０と凝縮水タンク１９とを連結せずに配置する場合においては、水タンク１０より改質器４に水を供給するための水供給管と、凝縮水タンク１９より改質器４に凝縮水を供給するための凝縮水供給管とを設けるとともに、水供給管および凝縮水供給
管に電磁弁を設ける、もしくは水供給管と凝縮水供給管とを接続したのち水ポンプ１１に接続するとともに水供給管と凝縮水供給管との接続部に三方弁を設けることにより、改質器４に凝縮水または外部から供給される水を供給することができる。なおその際、制御装置１４は導電率センサ２４の値に基づき電磁弁や三方弁を制御することが好ましい。
【００９１】
それにより、改質器４に供給される水が枯渇することを抑制でき、改質器４に故障等が生じることを抑制（防止）することができるとともに、燃料電池装置の運転を停止することなく、凝縮水処理手段２３の交換等のメンテナンスを行うことができる。なお、上述したように凝縮水処理手段２３の交換等のメンテナンスが完了した後は、制御装置１４は改質器４に凝縮水を優先的に供給するよう制御することが好ましい。
【００９２】
また、導電率センサ２４が予め定められた設定範囲外の値を示した場合に、改質器４での改質反応を水蒸気改質より部分酸化改質に切り換えるよう制御することもできる。
【００９３】
具体的には、例えば制御装置１４は、導電率センサ２４が予め定められた設定範囲外の値を示した場合に、水ポンプ１１を停止するよう制御するとともに、酸素含有ガスを改質器４に供給するよう制御する。この場合、燃料電池１に酸素含有ガスを供給する酸素含有ガス供給手段３を併用することも可能である。
【００９４】
この場合においても、改質器４に故障等が生じることを抑制（防止）することができるとともに、燃料電池装置の運転を停止することなく、凝縮水処理手段２３の交換等のメンテナンスを行うことができる。なお、凝縮水処理手段２３の交換等のメンテナンスが完了した後は、改質器４での改質反応を部分酸化改質より水蒸気改質に切り換えるとともに、凝縮水処理手段２３で処理された凝縮水を改質器４に供給するよう制御することが好ましい。
【００９５】
以上、本発明について詳細に説明したが、本発明は上述の実施の形態に限定されるものではなく、本発明の要旨を逸脱しない範囲内において、種々の変更、改良等が可能である。
【００９６】
例えば、凝縮水排水手段を、熱交換器、凝縮水回収管および凝縮水タンクのうち、複数に設けることも可能である。それにより、凝縮水処理手段２３のメンテナンスにおける作業効率をさらに向上することができる。
【００９７】
また、凝縮水処理手段２３を凝縮水供給管２０に設けるとともに、凝縮水供給管２０のうち、凝縮水処理手段２３と改質器４との間に導電率センサ２４を設ける構成とすることもできる。
【符号の説明】
【００９８】
１：燃料電池
４：改質器
１０：水タンク
１３：熱交換器
１４：制御装置
１９：凝縮水タンク
２１：凝縮水回収管
２２：凝縮水排水手段
２３：凝縮水処理手段
２４：導電率センサ
２５：凝縮水回収管用電磁弁
２６：熱交換器排水管
２７：熱交換器排水管用電磁弁
２８：仕切部材
３０：凝縮水タンク排水管
３１：凝縮水タンク排水管用電磁弁
Ｘ：水処理装置
【図１】
0005449492.tif 000002
【図２】
0005449492.tif 000003
【図３】
0005449492.tif 000004
【図４】
0005449492.tif 000005